(57)【特許請求の範囲】
【請求項１】
リール本体に前後動可能に設けられたメインシャフトの外側に、ハンドルの回転により回転するピニオン軸筒が回転可能に嵌合され、前記ピニオン軸筒の外側に同軸筒と一体回転するように内輪が嵌合され、前記リール本体には内輪の外側に位置する外輪が回転不能に固定され、これら両輪の間に、該両輪に食い込んで楔作用する位置と、該両輪の間で遊転して楔作用しない位置とを取り得る複数の転がり部材を保持するリテーナーを回動可能に介在すると共に、前記リテーナーを回動させて転がり部材を楔作用する位置と、楔作用しない位置とに移動保持する操作機構と連結する操作杆をリテーナーに設けてなるスピニングリールの逆転防止装置において、前記リテーナーは少なくとも前記転がり部材が楔作用をする位置に前記操作機構にて切換え時に回動される所定回動位置よりも付勢手段により更に楔作用する方向に付勢可能にされていることを特徴とするスピニングリールの逆転防止装置。
【発明の詳細な説明】
【０００１】
【発明が属する技術分野】
本発明は魚釣り用のスピニングリールの逆転防止装置に関し、詳しくは転がり部材の楔作用を利用してピニオン軸筒と一体的に回転するローターを逆転防止と逆転可能とに切換えることができるスピニングリールの逆転防止装置に関する。
【０００２】
【従来の技術】
従来この種の転がり部材の楔作用を利用してローターを逆転防止（ＯＮ）と逆転可能（ＯＦＦ）とに切換えることができるスピニングリールの逆転防止装置として、特開昭５４−１４１２８５号の公報に開示されるものがすでに知られている。上記構造の逆転防止装置では、ＯＮ状態にするのに転がり部材を正確な位置に移動させなければ楔作用が働かない怖れがあり、転がり部材を楔作用が働く位置まで移動するように正確に製作しなければならないが、それにはリテーナーの移動角度等を合わせるのに相当の高精度を要するため、これによる生産性の低下、コストのアップという問題点を有する。
【０００３】
そして上記問題点を解決するために、特開平６−５８３４８号、特開平６−２２５６７３号、の公報に開示されるものが開発された。上記した構造の逆転防止装置は、各転がり部材のそれぞれに板バネを折り曲げて形成した弾性体を配置して、リテーナーをＯＮ状態にする方向へ回動させた後、更に前記弾性体によって転がり部材が楔作用が働く方向に移動するようになっている。すなわちある程度の製作上の誤差があったとしても、転がり部材の移動によりその誤差は吸収され楔作用が正常に働くようになっている。
【０００４】
しかしながら、上記したような構造でも小さな転がり部材を付勢する弾性体を個々の転がり部材にに取付けたり、形成したりすることは、非常に細かい作業になるために結局は根本的な解決に至らないのが現状である。
【０００５】
【発明が解決しようとする課題】
本発明は上述したような従来の技術が有する問題点に鑑みて成されたもので、その目的とするところは、特に精度を高めることなく、且つ簡単な構成により生産性を向上させると共に、コストをダウンさせ、しかも正確な楔作用をし得るスピニングリールの逆転防止装置を提供することにある。
【０００６】
【課題を解決するための手段】
上記の目的を達成するために本発明が講じた技術的手段は、リール本体に前後動可能に設けられたメインシャフトの外側に、ハンドルの回転により回転するピニオン軸筒が回転可能に嵌合され、前記ピニオン軸筒の外側に同軸筒と一体回転するように内輪が嵌合され、前記リール本体には内輪の外側に位置する外輪が回転不能に固定され、これら両輪の間に、該両輪に食い込んで楔作用する位置と、該両輪の間で遊転して楔作用しない位置とを取り得る複数の転がり部材を保持するリテーナーを回動可能に介在すると共に、前記リテーナーを回動させて転がり部材を楔作用する位置と、楔作用しない位置とに移動保持する操作機構と連結する操作杆をリテーナーに設けてなるスピニングリールの逆転防止装置において、前記リテーナーは少なくとも前記転がり部材が楔作用をする位置に前記操作機構にて切換え時に回動される所定回動位置よりも付勢手段により更に楔作用する方向に付勢可能にさせたものです。
【０００７】
上記付勢手段は、リテーナーにおける操作杆を引っ張ってリテーナーのＯＮ状態を保持し得るものであればよく、具体的にはリテーナーとリール本体への取付部材との間に掛け渡された引っ張りコイルバネなどにより達成できる。
【０００８】
上記構成によれば、操作機構をＯＮ状態にした時に正回転するローターが逆回転しようとすると、楔作用が働いてその逆回転は防止されるが、仮に製作上の誤差があったり転がり部材や内・外輪が磨耗したりして、操作機構の操作だけでは転がり部材が両輪に食い込まずに楔作用が働かないような場合でも、リテーナーは付勢手段によって操作機構にて回動された所期回動位置よりも更に楔作用する方向に付勢されているため、リテーナーは楔作用が働く方向に回動して転がり部材が両輪に食い込んで楔作用が正確に働く。
【０００９】
【発明の実施の形態】
以下、本発明の実施の形態を図面に基づき説明する。図１は本発明にかかる逆転防止装置Ａを配設したスピニングリールの一部を示し、リール本体１に前後方向スライド可能に備えられたメインシャフト２の外側にハンドルの回転により回転するピニオン軸筒３を取付け、このピニオン軸筒３の外側に同軸筒３の回転方向を切換える逆転防止機構Ａを配設すると共に、前記メインシャフト２の先端に取付けたスプール２’に釣糸を巻き付けるローター４を着脱自在、且つ一体回転するように装着してある。
【００１０】
上記逆転防止機構Ａは、メインシャフト２の外側に位置するピニオン軸筒３に一体回転するように内輪Ａ１が嵌合され、前記リール本体１には内輪Ａ１の外側に位置するように外輪Ａ２が回転不能に固定されている。そしてこれら両輪の間に、該両輪に食い込んで楔作用する位置と、両輪の間で遊転して楔作用しない位置とを取り得る複数の転がり部材Ａ３を保持するリテーナーＡ４を回動可能に介在して構成してある。
【００１１】
上記転がり部材Ａ３は円柱状に形成され、外輪Ａ２の内側に設けられた円弧状のガイド溝Ａ２１に移動可能に嵌合され、該ガイド溝Ａ２１と内輪Ａ１との間に前記リテーナーＡ４にて楔作用する位置と楔作用しない位置とに移動切換え可能に保持されるようにしてある。又、前記ガイド溝Ａ２１は転がり部材Ａ３が楔作用する方向の端部を浅溝Ａ２１１にし、楔作用しない方向の端部は、前記浅溝からに徐々に深くする深溝Ａ２１２にしてあり、これにより転がり部材Ａ３が浅溝Ａ２１１へ移動すると両輪に食い込んで楔作用が働き、転がり部材Ａ３が深溝Ａ２１２へ移動すると両輪の間を遊転して楔作用が働かないようにしてある。
【００１２】
上記リテーナーＡ４は円筒状に形成され、その周端部に後述して図４に明示する操作リングＡ５と嵌合する凹部Ａ４１が周設されている。そしてリテーナーＡ４の周側面に転がり部材Ａ３を保持すると共に、楔作用が働く方向と、楔作用が働ない方向に移動させ、その状態を保持するガイド孔Ａ４２が設けられている。前記ガイド孔Ａ４２の内側には図３にて明示するように前記ガイド溝Ａ２１における深溝Ａ２１２から浅溝Ａ２１１方向に向って凸設した転がり部材保持片Ａ４３を設けてあり、そして同保持片Ａ４３の先部とガイド孔Ａ４２の内側との間に、転がり部材Ａ３の一部がリテーナーＡ４の内周面から露出する程度の隙間Ａ４４を設けてある。
【００１３】
上記転がり部材保持片Ａ４３は、リテーナーＡ４を楔作用が働ない図３に図示の矢印Ｘ方向に回動させると、転がり部材Ａ３を乗り上がらせてガイド溝Ａ２１の深溝Ａ２１２に嵌合させてその状態を保持する。この状態では、転がり部材Ａ３は前記転がり部材保持片Ａ４３に乗り上がるため、外輪Ａ２と内輪Ａ１の間を遊転し、ピニオン軸筒３とローター４とが正逆回転可能である。逆にリテーナーＡ４を楔作用が働く反矢印Ｘ方向に回動させると、転がり部材Ａ３が前記隙間Ａ４４に移動して、ガイド溝Ａ２１の浅溝Ａ２１１に嵌合された状態を保持する。この状態では転がり部材Ａ３は前記隙間Ａ４４に入るため、外輪Ａ２と内輪Ａ１とに食い込んで楔作用が働き、ピニオン軸筒３とローター４とは矢印Ｘ方向の逆回転ができなくなる。
【００１４】
上記リテーナーＡ４には、前述して図４に明示されているように該リテーナーＡ４を回動操作する操作リングＡ５が嵌合されている。前記操作リングＡ５はその内周面にリテーナーＡ４における凹部Ａ４１に嵌合する凸部Ａ５１が形成され、該凸部Ａ５１を前記凹部Ａ４１に嵌合することによりリテーナーＡ４と一体化してある。又、操作リングＡ５には、リテーナーＡ４を転がり部材Ａ３が楔作用する位置と、楔作用しない位置との間で移動操作する操作機構５に連結される操作杆Ａ５２が一体形成されている。
【００１５】
操作機構５はリール本体１を前後方向に貫通して回動可能に取付けられた回転軸５１におけるリテーナーＡ４側の先端に、前記操作杆Ａ５２に連結する連結具５２が設けられ、且つ他端には回転軸５１を回動操作するレバー５３が設けられている。前記連結具５２は有底筒状に形成されたその周側面に前記回転軸５１の中心から外側に向かって膨出部５４が形成され、その膨出部５４の先端面に回転軸５１の中心から偏心状態で連結突起５５が設けられている。
【００１６】
前記操作杆Ａ５２は帯板状に形成され、操作リングＡ５の周側面にその操作杆Ａ５２の幅広面を前記操作リングＡ５の軸方向に向けると共に、外側方向へ突出するように設けられ、その幅広面に操作機構５における連結突起５５が嵌合する連結孔Ａ５３が設けられている。
【００１７】
又、上記操作杆Ａ５２とリール本体１に立設されたピンとにリテーナーＡ４を楔作用する方向に付勢する付勢手段としての引っ張りコイルバネ６が掛け渡されている。操作機構５の操作でリテーナーＡ４を楔作用する図２における所定回動位置Ｂに回動させると高精度に製作された逆転防止装置Ａによると転がり部材Ａ３が内輪Ａ１と外輪Ａ２とに食い込んで楔作用をする。しかし、逆転防止装置Ａの精度が悪かったり、これを構成する転がり部材Ａ３の外周面や内輪Ａ１の外周面やＡ２の浅溝Ａ２１１が磨耗したりして転がり部材Ａ３が内輪Ａ１と外輪Ａ２とに食い込んでの楔作用をできない場合は、上記引っ張りコイルバネ６が操作杆Ａ５２を引っ張って、リテーナーＡ４を所定回動位置Ｂよりも更に楔作用する方向の誤差吸収位置Ｂ’まで付勢するようにしているために、リテーナーＡ４に保持された転がり部材Ａ３を確実に内輪Ａ１と外輪Ａ２とに食い込ませて楔作用をすることができるようにしてある。
【００１８】
【発明の効果】
本発明は以上の構成により以下の効果を奏する。操作機構をＯＮ状態にしたとき正回転するピニオン軸筒が逆回転しようとすると、楔作用が働いてその逆回転は防止されるが、仮に製作上の誤差があったり、使用により転がり部材や内・外輪の作用面が磨耗したりして、操作機構の操作だけでは転がり部材が両輪に食い込まないで楔作用が働かないような場合でも、その位置から更に付勢手段による楔作用が作用する方向への付勢力にてリテーナーと共に転がり部材が楔作用が働く方向に回動して両輪に食い込んで確実に逆転防止できる。したがって特に精度を高めることなく、且つ簡単な構成により生産性を向上させると共に、コストをダウンさせ、しかも組立作業の簡易化を図り得るスピニングリールの逆転防止装置を提供することができる。
【図面の簡単な説明】
【図１】本発明に係る逆転防止装置を備えたスピニングリールの要部縦断面図。
【図２】図１の（２）−（２）線に沿う断面図で、一部切欠いて示す。
【図３】逆転防止装置の部分拡大断面図で、逆転防止状態を示す。
【図４】逆転防止装置の分解斜視図。
【符号の説明】
１・・・リール本体
２・・・メインシャフト
２’・・・スプール
３・・・ピニオン軸筒
４・・・ローター
５・・・操作機構
６・・・引っ張りコイルバネ（付勢手段）
Ａ・・・逆転防止装置
Ａ１・・・内輪
Ａ２・・・外輪
Ａ３・・・転がり部材
Ａ４・・・リテーナー
Ａ５２・・・操作杆
【図１】
0003668451.tif 000002
【図２】
0003668451.tif 000003
【図３】
0003668451.tif 000004
【図４】
0003668451.tif 000005